(57)【要約】      （修正有）【課題】携帯端末装置の薄型化及び接続手段の耐久性の向上を図る。【解決手段】表示部が配置された第１の筐体２と、第１の筐体を所定の方向へスライド自在に支持すると共に操作部２４が配置された第２の筐体３と、第１の筐体の内部に配置され第１のコネクターが搭載された第１の回路基板と、第２の筐体の内部に配置され第２のコネクターが搭載された第２の回路基板と、両端部がそれぞれ第１のコネクターと第２のコネクターに接続された接続ケーブル３２とを設け、接続ケーブルの中間部における２箇所の部分をそれぞれ保持する第１の保持部７ａ、７ａと第２の保持部を設け、第１の筐体が第２の筐体に対してスライドされたときに接続ケーブルの第１の保持部と第２の保持部の間の部分がスライド方向に直交しかつ厚み方向に直交する方向において屈曲及び伸長されるようにした。【選択図】図６
2011199766.tif 000002
【特許請求の範囲】
【請求項１】
少なくとも表示部が配置された第１の筐体と、
前記第１の筐体を所定の方向へスライド自在に支持すると共に少なくとも操作部が配置された第２の筐体と、
前記第１の筐体の内部に配置され第１のコネクターが搭載された第１の回路基板と、
前記第２の筐体の内部に配置され第２のコネクターが搭載された第２の回路基板と、
前記第１の筐体及び前記第２の筐体の内部に配置され両端部がそれぞれ前記第１のコネクターと前記第２のコネクターに接続された接続ケーブルとを備え、
前記第１の筐体と前記第２の筐体は互いに厚み方向において少なくとも一部が重ね合わされ、
前記第１の筐体と前記第２の筐体の一方又は双方の内部に前記接続ケーブルの中間部における２箇所の部分をそれぞれ保持すると共に前記第１の筐体の前記第２の筐体に対するスライド方向に離隔する第１の保持部と第２の保持部が設けられ、
前記第１の筐体が前記第２の筐体に対してスライドされたときに前記接続ケーブルの前記第１の保持部と前記第２の保持部の間の部分が前記スライド方向に直交しかつ前記厚み方向に直交する方向において屈曲及び伸長されるようにした
携帯端末装置。
【請求項２】
前記第１の筐体が前記第２の筐体に前記厚み方向に直交する面内において回転自在に支持され、
前記第１の筐体の前記第２の筐体に対する回転支点部の内部に前記接続ケーブルの中間部を保持し前記第２の保持部として機能する保持孔が形成された
請求項１に記載の携帯端末装置。
【請求項３】
前記回転支点部に前記保持孔を有する筒状の保持部材を設け、
前記保持孔を前記厚み方向に対して所定の角度傾斜させた
請求項２に記載の携帯端末装置。
【請求項４】
前記第１の筐体又は前記第２の筐体に前記接続ケーブルの前記第１の保持部と前記第２の保持部の間の部分が収納される収納凹部が形成された
請求項１に記載の携帯端末装置。
【請求項５】
前記接続ケーブルにおける前記第１の保持部と前記第２の保持部にそれぞれ保持された各部分間の長さを、前記第１の筐体が前記第２の筐体に対してスライドされるときの最大ストロークの１．３倍乃至１．６倍にした
請求項１に記載の携帯端末装置。
【請求項６】
前記第１の保持部と前記第２の保持部を前記スライド方向に直交しかつ前記厚み方向に直交する方向において離隔して設けた
請求項１に記載の携帯端末装置。
【発明の詳細な説明】
【技術分野】
【０００１】
本発明は携帯端末装置についての技術分野に関する。詳しくは、接続ケーブルの一部が第１の筐体の第２の筐体に対するスライド方向に直交しかつ第１の筐体と第２の筐体の厚み方向に直交する方向において屈曲及び伸長されるようにして薄型化等を図る技術分野に関する。
【背景技術】
【０００２】
携帯電話、音声記録再生装置、画像記録再生装置、撮像装置、情報処理装置、ネットワーク通信装置等の各種の携帯端末装置には、第１の筐体が第２の筐体に対してスライドされる構成にされたものがある。
【０００３】
このような携帯端末装置、例えば、携帯電話には、第１の筐体に表示部が配置され第２の筐体に操作部が配置され、第１の筐体と第２の筐体が互いに厚み方向において少なくとも一部が重ね合わされ、第１の筐体が厚み方向に直交する方向へ第２の筐体に対してスライドされるものがある（例えば、特許文献１参照）。
【０００４】
特許文献１に記載された携帯電話にあっては、第１の筐体と第２の筐体の内部にそれぞれ回路基板が配置され、一方の回路基板に搭載されたコネクターと他方の回路基板に搭載されたコネクターとが接続手段として設けられたフレキシブルプリント配線板によって接続されている。
【０００５】
フレキシブルプリント配線板は厚み方向が第１の筐体と第２の筐体の厚み方向に一致された状態で第１の筐体と第２の筐体の内部に配置され、第１の筐体が第２の筐体に対してスライドされるときには、厚み方向に折り重ねられるように屈曲され又は伸長される。
【０００６】
【特許文献１】特開２００６−１５７４６５号公報
【発明の開示】
【発明が解決しようとする課題】
【０００７】
ところが、特許文献１に記載された携帯端末装置にあっては、第１の筐体が第２の筐体に対してスライドされるときに、フレキシブルプリント配線板が厚み方向において折り重ねられるため、厚み方向において折り重ねられる分のスペースが必要であり、その分、薄型化に支障を来たしている。
【０００８】
また、第１の筐体が第２の筐体に対してスライドされる毎にフレキシブルプリント配線板の一部が１８０°折り返されるように大きく屈曲され又は伸長される動作が繰り返し行われるため、接続手段に対する負荷が大きく、接続手段の耐久性が低いと言う問題もある。
【０００９】
そこで、本発明携帯端末装置は、上記した問題点を克服し、携帯端末装置の薄型化及び接続手段の耐久性の向上を図ることを課題とする。
【課題を解決するための手段】
【００１０】
携帯端末装置は、上記した課題を解決するために、少なくとも表示部が配置された第１の筐体と、前記第１の筐体を所定の方向へスライド自在に支持すると共に少なくとも操作部が配置された第２の筐体と、前記第１の筐体の内部に配置され第１のコネクターが搭載された第１の回路基板と、前記第２の筐体の内部に配置され第２のコネクターが搭載された第２の回路基板と、前記第１の筐体及び前記第２の筐体の内部に配置され両端部がそれぞれ前記第１のコネクターと前記第２のコネクターに接続された接続ケーブルとを備え、前記第１の筐体と前記第２の筐体は互いに厚み方向において少なくとも一部が重ね合わされ、前記第１の筐体と前記第２の筐体の一方又は双方の内部に前記接続ケーブルの中間部における２箇所の部分をそれぞれ保持すると共に前記第１の筐体の前記第２の筐体に対するスライド方向に離隔する第１の保持部と第２の保持部が設けられ、前記第１の筐体が前記第２の筐体に対してスライドされたときに前記接続ケーブルの前記第１の保持部と前記第２の保持部の間の部分が前記スライド方向に直交しかつ前記厚み方向に直交する方向において屈曲及び伸長されるようにしたものである。
【００１１】
従って、携帯端末装置にあっては、第１の筐体と第２の筐体の厚み方向において接続ケーブルが屈曲する分のスペースが存在しない。
【００１２】
上記した携帯端末装置においては、前記第１の筐体が前記第２の筐体に前記厚み方向に直交する面内において回転自在に支持され、前記第１の筐体の前記第２の筐体に対する回転支点部の内部に前記接続ケーブルの中間部を保持し前記第２の保持部として機能する保持孔が形成されることが望ましい。
【００１３】
第１の筐体の第２の筐体に対する回転支点部の内部に接続ケーブルの中間部を保持し第２の保持部として機能する保持孔を形成することにより、第１の筐体が第２の筐体に対して回転されているときに接続ケーブルの屈曲状態が変化しない。
【００１４】
上記した携帯端末装置においては、前記回転支点部に前記保持孔を有する筒状の保持部材を設け、前記保持孔を前記厚み方向に対して所定の角度傾斜させることが望ましい。
【００１５】
回転支点部に保持孔を有する筒状の保持部材を設け、保持孔を厚み方向に対して所定の角度傾斜させることにより、接続ケーブルの保持孔に保持された部分が傾斜面に沿った状態で保持される。
【００１６】
上記した携帯端末装置においては、前記第１の筐体又は前記第２の筐体に前記接続ケーブルの前記第１の保持部と前記第２の保持部の間の部分が収納される収納凹部が形成されることが望ましい。
【００１７】
接続ケーブルの第１の保持部と第２の保持部の間の部分が収納される収納凹部が形成されることにより、接続ケーブルの第１の保持部と第２の保持部の間の部分の収納スペースが一定の範囲に限定される。
【００１８】
上記した携帯端末装置においては、前記接続ケーブルにおける前記第１の保持部と前記第２の保持部にそれぞれ保持された各部分間の長さを、前記第１の筐体が前記第２の筐体に対してスライドされるときの最大ストロークの１．３倍乃至１．６倍にすることが望ましい。
【００１９】
接続ケーブルにおける第１の保持部と第２の保持部にそれぞれ保持された各部分間の長さを、第１の筐体が第２の筐体に対してスライドされるときの最大ストロークの１．３倍乃至１．６倍にすることにより、第１の筐体のスライド時における全範囲において接続ケーブルに大きな負荷がかかることがない。
【００２０】
上記した携帯端末装置においては、前記第１の保持部と前記第２の保持部を前記スライド方向に直交しかつ前記厚み方向に直交する方向において離隔して設けることが望ましい。
【００２１】
第１の保持部と第２の保持部をスライド方向に直交しかつ厚み方向に直交する方向において離隔して設けることにより、接続ケーブルの屈曲方向が予め所定の方向になるように定められる。
【発明の効果】
【００２２】
本発明携帯端末装置は、少なくとも表示部が配置された第１の筐体と、前記第１の筐体を所定の方向へスライド自在に支持すると共に少なくとも操作部が配置された第２の筐体と、前記第１の筐体の内部に配置され第１のコネクターが搭載された第１の回路基板と、前記第２の筐体の内部に配置され第２のコネクターが搭載された第２の回路基板と、前記第１の筐体及び前記第２の筐体の内部に配置され両端部がそれぞれ前記第１のコネクターと前記第２のコネクターに接続された接続ケーブルとを備え、前記第１の筐体と前記第２の筐体は互いに厚み方向において少なくとも一部が重ね合わされ、前記第１の筐体と前記第２の筐体の一方又は双方の内部に前記接続ケーブルの中間部における２箇所の部分をそれぞれ保持すると共に前記第１の筐体の前記第２の筐体に対するスライド方向に離隔する第１の保持部と第２の保持部が設けられ、前記第１の筐体が前記第２の筐体に対してスライドされたときに前記接続ケーブルの前記第１の保持部と前記第２の保持部の間の部分が前記スライド方向に直交しかつ前記厚み方向に直交する方向において屈曲及び伸長されるようにしている。
【００２３】
従って、第１の筐体と第２の筐体の厚み方向において接続ケーブルが屈曲する分のスペースを必要とせず、その分、携帯端末装置の薄型化を図ることができる。
【００２４】
また、第１の筐体がスライドされる毎に接続ケーブルが第１の筐体と第２の筐体の厚み方向において大きく折り返され又は伸長されることがなく、接続ケーブルの耐久性の向上を図ることができる。
【００２５】
請求項２に記載した発明にあっては、前記第１の筐体が前記第２の筐体に前記厚み方向に直交する面内において回転自在に支持され、前記第１の筐体の前記第２の筐体に対する回転支点部の内部に前記接続ケーブルの中間部を保持し前記第２の保持部として機能する保持孔が形成されている。
【００２６】
従って、第１の筐体が第２の筐体に対して回転される構成とされている場合においても、携帯端末装置の薄型化及び接続ケーブルの耐久性の向上を図ることができる。
【００２７】
請求項３に記載した発明にあっては、前記回転支点部に前記保持孔を有する筒状の保持部材を設け、前記保持孔を前記厚み方向に対して所定の角度傾斜させている。
【００２８】
従って、第１の筐体が第２の筐体に対してスライドしたときの接続ケーブルの屈曲方向を一定の方向に確実に定めることができる。
【００２９】
請求項４に記載した発明にあっては、前記第１の筐体又は前記第２の筐体に前記接続ケーブルの前記第１の保持部と前記第２の保持部の間の部分が収納される収納凹部が形成されている。
【００３０】
従って、接続ケーブルの第１の保持部と第２の保持部の間の部分の収納スペースが一定の範囲に限定され、その分、携帯端末装置の小型化を図ることができる。
【００３１】
請求項５に記載した発明にあっては、前記接続ケーブルにおける前記第１の保持部と前記第２の保持部にそれぞれ保持された各部分間の長さを、前記第１の筐体が前記第２の筐体に対してスライドされるときの最大ストロークの１．３倍乃至１．６倍にしている。
【００３２】
従って、第１の筐体のスライド時における全範囲において接続ケーブルに大きな負荷がかかることなく、接続ケーブルの良好な収納状態を確保することができる。
【００３３】
請求項６に記載した発明にあっては、前記第１の保持部と前記第２の保持部を前記スライド方向に直交しかつ前記厚み方向に直交する方向において離隔して設けている。
【００３４】
従って、接続ケーブルの屈曲方向が予め所定の方向になるように設定することができ、接続ケーブルの屈曲方向を一定の方向に確実に定めることができる。
【発明を実施するための最良の形態】
【００３５】
以下に、本発明携帯端末装置の実施の形態を添付図面に従って説明する。
【００３６】
以下に示した実施の形態は、本発明携帯端末装置を携帯電話に適用したものである。
【００３７】
尚、本発明の適用範囲は携帯電話に限られることはない。本発明は、音声記録再生装置、画像記録再生装置、カメラ等の撮像装置、ネットワーク通信装置、パーソナルコンピューターやＰＤＡ（Personal Digital Assistant）等の情報処理装置等において第１の筐体が第２の筐体に対してスライド可能な構成にされた他の各種の携帯端末装置に広く適用することができる。
【００３８】
以下の説明にあっては、第１の筐体側を前方とし第２の筐体側を後方とし第１の筐体が第２の筐体に対してスライドされる方向を上下方向として前後上下左右の方向を示すものとする。
【００３９】
尚、以下に示す前後上下左右の方向は説明の便宜上のものであり、本発明の実施に関しては、これらの方向に限定されることはない。
【００４０】
［携帯端末装置の全体構成］
携帯端末装置（携帯電話）１は第１の筐体２と第２の筐体３を有している（図１乃至図４参照）。第１の筐体２と第２の筐体３はともに上下に長い矩形状に形成され厚み方向が前後方向にされている。
【００４１】
第１の筐体２はカバー体４とベース体５が前後で結合されて成る。
【００４２】
カバー体４は後方に開口された浅い箱状に形成され、カバー体４には表示部６が配置されている。
【００４３】
ベース体５は前後方向を向くベース部７と該ベース部７の外周に設けられた枠状部８とが一体に形成されて成る。ベース部７の前面側にはベース部７の前面と枠状部８の前端部によって囲まれ前方に開口された第１の配置用凹部９が形成されている。ベース部７の後面側にはベース部７の後面と枠状部８の後端部によって囲まれ後方に開口された第２の配置用凹部１０が形成されている。
【００４４】
ベース部７の内側には前方に開口された浅い収納凹部１１が形成されている。収納凹部１１には左右方向における中央部に前後に貫通され上下に延びるケーブル挿入孔１１ａが形成されている。
【００４５】
ベース部７の下端部には前方に開口された浅い凹部１２が形成されている。ベース部７には収納凹部１１と凹部１２の間に前方に開口された保持溝１３が形成され、該保持溝１３は上端が収納凹部１１に連通され下端が凹部１２に連通されている（図５及び図６参照）。
【００４６】
ベース部７には、図５及び図６に示すように、保持溝１３の上端部に、互いに接する方向へ突出された第１の保持部７ａ、７ａが設けられている。ベース部７には、保持溝１３の下端部に、互いに接する方向へ突出された保持突部７ｂ、７ｂが設けられている。第１の保持部７ａ、７ａ及び保持突部７ｂ、７ｂは、例えば、それぞれ突出する方向へ凸の半円形状に形成されている。
【００４７】
ベース部７には収納凹部１１を前方から閉塞するシート状の押さえ板１４が取り付けられる（図２乃至図４参照）。
【００４８】
ベース体５の第１の配置用凹部９には第１の回路基板１５が配置されて取り付けられる。第１の回路基板１５の下端部には下方に開口された挿通用切欠１５ａが形成されている。第１の回路基板１５の前面には、挿通用切欠１５ａの直ぐ上側の位置に第１のコネクター１６が搭載されている。
【００４９】
第２の筐体３は前側ケース１７と後側ケース１８と蓋体１９から成る（図１乃至図４参照）。
【００５０】
前側ケース１７は後方に開口された箱状に形成され、上端側に前方に開口された取付用凹部１７ａと前後に貫通された挿通孔１７ｂとを有している。
【００５１】
後側ケース１８は前方に開口された箱状に形成され、上端側に前後に貫通された連通孔１８ａを有している。後側ケース１８の連通孔１８ａは蓋体１９によって閉塞される。
【００５２】
後側ケース１８の連通孔１８ａが蓋体１９によって閉塞された状態において、前側ケース１７と後側ケース１８が前後で結合されることにより、内部に配置用空間２０が形成される（図３及び図４参照）。
【００５３】
配置用空間２０には前端側に第２の回路基板２１が配置され、該第２の回路基板２１の後面には第２のコネクター２２が搭載されている。第２の回路基板２１の上端部には上方に開口された挿通用切欠２１ａが形成されている。配置用空間２０には後端側に第３の回路基板２３が配置されている。
【００５４】
前側ケース１７の下端側には、例えば、複数の操作釦によって構成された操作部２４が配置されている。尚、操作部２４は第２の筐体３の他に第１の筐体２に配置されていてもよい。
【００５５】
前側ケース１７には取付用凹部１７ａに位置された回転ベース２５が取り付けられている。回転ベース２５は前後方向を向く板状に形成され、取付用凹部１７ａに取付ピン２５ａ、２５ａによって取り付けられている。
【００５６】
回転ベース２５には円筒状のスリーブ２６が取り付けられ、該スリーブ２６の孔は配置孔２６ａとして形成されている。
【００５７】
スリーブ２６にはスライドベース２７が回転自在に支持されている（図７及び図８参照）。スライドベース２７は縦長の矩形状に形成され左右両側部にそれぞれガイドレール２７ａ、２７ａを有している。ガイドレール２７ａ、２７ａはそれぞれ内方に開口されたコ字状に形成されている。スライドベース２７にはスリーブ２６に支持された部分の周囲の位置に、周方向に離隔して係合孔２７ｂ、２７ｂ、・・・が形成されている。
【００５８】
スライドベース２７の後面と回転ベース２５の前面との間にはクリックバネ２８が配置されている。
【００５９】
スライドベース２７にはスライダー２９が上下方向へスライド自在に支持されている。スライダー２９は上下に長い矩形の板状に形成され、左右両端部が被ガイド部２９ａ、２９ａとして設けられている。スライダー２９は被ガイド部２９ａ、２９ａがそれぞれガイドレール２７ａ、２７ａに摺動自在に係合されてスライドベース２７にスライド自在に支持されている。
【００６０】
スライダー２９は第１の筐体２のベース体５に形成された第２の配置用凹部１０に配置されて取り付けられている。
【００６１】
第２の筐体３の前側ケース１７に取り付けられたスリーブ２６の配置孔２６ａには保持部材３０が配置されて取り付けられている（図３及び図４参照）。保持部材３０は、例えば、ウレタンゴム等の弾性係数の高い材料によって形成されている。
【００６２】
保持部材３０は外形が円柱状に形成され、中心部から半径方向において、例えば、上斜め左方、即ち、左右方向に対して上方側に角度Ａの方向へ延びるようにされた保持孔３１を有している（図９参照）。角度Ａは、例えば、２０°〜４０°にされている。保持孔３１は、例えば、保持部材３０の外周面に開口され、最も内側の内面が保持部材３０の軸方向に対して傾斜された傾斜面３１ａとして形成されている。傾斜面３１ａは後方へ行くに従って上斜め左方に変位するように軸方向に対して角度Ｂだけ傾斜されている（図１０参照）。
【００６３】
第１の筐体２の内部に配置された第１の回路基板１５に搭載された第１のコネクター１６と第２の筐体３の内部に配置された第２の回路基板２１に搭載された第２のコネクター２２とは接続ケーブル３２によって接続されている（図３及び図４参照）。
【００６４】
接続ケーブル３２は一端部３２ａが第１のコネクター１６に接続され、第１の回路基板１５の挿通用切欠１５ａを挿通され（図３及び図４参照）、中間部３２ｂ、３２ｃがそれぞれ第１の筐体２の保持突部７ｂ、７ｂと第１の保持部７ａ、７ａに保持されている（図５及び図６参照）。接続ケーブル３２の径は保持突部７ｂ、７ｂ間の距離及び第１の保持部７ａ、７ａ間の距離より僅かに大きくされており、保持突部７ｂ、７ｂ間及び第１の保持部７ａ、７ａ間にそれぞれ挿入された中間部３２ｂ、３２ｃが弾性変形された状態で保持されている（図５の拡大図参照）。
【００６５】
接続ケーブル３２は中間部３２ｃの上側に位置する部分が第１の筐体２の収納凹部１１に収納された状態で保持されている。接続ケーブル３２の収納凹部１１に収納された部分は屈曲可能部３３として設けられている。接続ケーブル３２はケーブル挿入孔１１ａに挿入され保持部材３０の保持孔３１に中間部３２ｄが保持されている（図９及び図１０参照）。このように保持部材３０の保持孔３１は接続ケーブル３２を保持する機能を有しており、保持孔３１は接続ケーブル３２を保持する第２の保持部として形成される。
【００６６】
接続ケーブル３２の径は保持孔３１の幅より僅かに大きくされており、保持孔３１に挿入された中間部３２ｄは弾性変形された状態で保持されている。このとき接続ケーブル３２の中間部３２ｄは保持孔３１の傾斜面３１ａに沿った状態で保持されている。
【００６７】
接続ケーブル３２は保持部材３０の保持孔３１から後方へ突出された部分が挿通孔１７ｂを挿通されて第２の回路基板２１の挿通用切欠２１ａを挿通され（図３及び図４参照）、他端部３２ｅが第２のコネクター２２に接続されている。
【００６８】
携帯端末装置１においては、上記したように、スライドベース２７にスライド自在に支持されたスライダー２９が第１の筐体２に取り付けられており、第１の筐体２は第２の筐体３に対して上下方向へスライド可能とされている（図３乃至図６参照）。第１の筐体２は第２の筐体３に対して全体が厚み方向において重ね合わされ操作部２４を閉塞する閉塞位置（図３及び図５参照）と上端部が第２の筐体３から上方へ突出され操作部２４を開放する開放位置（図４及び図６参照）との間でスライドされる。
【００６９】
第１の筐体２の閉塞位置と開放位置の間の移動量（最大ストローク）をＬ１（図６参照）とし、接続ケーブル３２の収納凹部１１に位置された部分である屈曲可能部３３の長さをＬ２（図５参照）とすると、Ｌ２がＬ１の１．３倍〜１．６倍にされている。
【００７０】
また、収納凹部１１の左右方向における幅をＬ３（図６参照）とすると、Ｌ１がＬ３の２．５倍〜３．０倍にされている。
【００７１】
［携帯端末装置の基本的動作］
携帯端末装置１は、上記したように、第１の筐体２が第２の筐体３にスライド自在に支持されており、第１の筐体２が第２の筐体３に対して操作部２４を閉塞する閉塞位置と操作部２４を開放する開放位置との間でスライドされる（図１１及び図１２参照）。
【００７２】
また、第１の筐体２は開放位置にある状態において、第２の筐体３に対してスリーブ２６及び該スリーブ２６の内部に配置された保持部材３０を支点部として厚み方向に直交する面内において回転可能とされている（図１３及び図１４参照）。従って、スリーブ２６及び保持部材３０は第１の筐体２の第２の筐体３に対する回転支点部とされる。
【００７３】
第１の筐体２は第２の筐体３に直交する回転位置（図１４参照）まで回転可能とされている。
【００７４】
［携帯端末装置の動作時における接続ケーブルの状態］
次に、携帯端末装置１のスライド動作時及び回転動作時における接続ケーブル３２の状態について説明する。
【００７５】
第１の筐体２が操作部２４を閉塞する閉塞位置にある状態においては、図３及び図５に示すように、接続ケーブル３２の屈曲可能部３３が収納凹部１１において伸長され上下に延びる直線状にされている。
【００７６】
このときクリックバネ２８の一部がスライドベース２７の係合孔２７ｂ、２７ｂ、・・・に係合され、第１の筐体２が閉塞位置に保持されている。
【００７７】
第１の筐体２が第２の筐体３に対して閉塞位置から開放位置へ向けてスライドされていくと、接続ケーブル３２の第１の保持部７ａ、７ａによって保持された中間部３２ｃが上方へ移動されていくため、屈曲可能部３３が蛇行するように屈曲されていく（図１５参照）。このとき保持部材３０の保持孔３１が上斜め左方へ延びるようにされ傾斜面３１ａを有しているため、屈曲可能部３３の上端部が保持孔３１の傾斜面３１ａに沿う方向へ延びるように屈曲される。従って、屈曲可能部３３の上端部は右下がりに傾斜した状態となるように屈曲され、屈曲部３３の全体が収納凹部１１内においてＳ字を描くように屈曲される（図４及び図６参照）。
【００７８】
第１の筐体２が開放位置において第２の筐体３に対して回転位置へ向けて回転されると、接続ケーブル３２は保持部材３０に保持された中間部３２ｄを支点として第１の筐体２と一体になって回転される（図１６参照）。このとき接続ケーブル３２は回転支点部とされた保持部材３０の保持孔３１に保持されているため、Ｓ字の状態が保持され屈曲状態が変化することなく第１の筐体２と一体になって回転される。
【００７９】
第１の筐体２が第２の筐体３に対して回転位置へ向けて回転されたときには、クリックバネ２８の係合孔２７ｂ、２７ｂ、・・・に対する係合が一旦解除され、第１の筐体２が回転位置まで回転されたときにクリックバネ２８が再び係合孔２７ｂ、２７ｂ、・・・に係合され、第１の筐体２が回転位置に保持される。
【００８０】
第１の筐体２が回転位置から開放位置まで回転されるときにも、接続ケーブル３２はＳ字の状態が保持され屈曲状態が変化することなく第１の筐体２と一体になって回転される。
【００８１】
第１の筐体２が開放位置から閉塞位置へ向けてスライドされるときには、接続ケーブル３２の第１の保持部７ａ、７ａによって保持された中間部３２ｃが下方へ移動されていくため、接続ケーブル３２はＳ字の状態に屈曲されていた屈曲可能部３３が収納凹部１１において伸長され上下に延びる直線状にされる（図３及び図５参照）。
【００８２】
尚、上記には、接続ケーブル３２の中間部３２ｃを保持する第１の保持部７ａ、７ａを左右に離隔して上下方向において同じ位置に設けた例を示したが、例えば、第１の保持部７ａ、７ａを左右に離隔して上下方向において異なる位置に設けることも可能である（図１７参照）。
【００８３】
このように第１の保持部７ａ、７ａを上下方向において異なる位置に設けることにより、接続ケーブル３２の屈曲方向が予め所定の方向（図１７における方向Ｃ）になるように設定することができ、接続ケーブル３２の屈曲方向を一定の方向に確実に定めることができる。上下方向に対するＣ方向の角度Ｄは、例えば、２０°〜４０°になるように第１の保持部７ａ、７ａの位置を定めることが望ましい。
【００８４】
また、例えば、第１の保持部７ａ、７ａと第２の保持部として機能する保持部材３０の保持孔３１とを上下に離隔して左右方向において異なる位置に設けることも可能である（図１８参照）。
【００８５】
このように第１の保持部７ａ、７ａと第２の保持部として機能する保持部材３０の保持孔３１とを左右方向において異なる位置に設けることにより、接続ケーブル３２の屈曲方向が予め所定の方向（図１８における方向Ｅ）になるように設定することができ、接続ケーブル３２の屈曲方向を一定の方向に確実に定めることができる。
【００８６】
［まとめ］
以上に記載した通り、携帯端末装置１にあっては、第１の筐体２が第２の筐体３に対してスライドされたときに接続ケーブル３２の屈曲可能部３３がスライド方向に直交しかつ厚み方向に直交する方向において屈曲及び伸長される。
【００８７】
従って、第１の筐体２と第２の筐体３の厚み方向において接続ケーブル３２が屈曲する分のスペースを必要とせず、その分、携帯端末装置１の薄型化を図ることができる。
【００８８】
また、第１の筐体２がスライドされる毎に接続ケーブル３２が第１の筐体２と第２の筐体３の厚み方向において大きく折り返され又は伸長されることがなく、接続ケーブル３２の耐久性の向上を図ることができる。
【００８９】
さらに、携帯端末装置１にあっては、第１の筐体２の第２の筐体３に対する回転支点部として機能する保持部材３０の保持孔３１に接続ケーブル３２が保持されているため、第１の筐体２が第２の筐体３に対して回転されているときに接続ケーブル３２の屈曲状態が変化されることがない。
【００９０】
従って、第１の筐体２が第２の筐体３に対して回転される構成とされている場合においても、携帯端末装置１の薄型化及び接続ケーブル３２の耐久性の向上を図ることができる。
【００９１】
さらにまた、第２の保持部として機能する保持部材３０の保持孔３１に厚み方向に対して所定の角度傾斜された傾斜面３１ａを形成しているため、接続ケーブル３２の屈曲方向を一定の方向に確実に定めることができる。
【００９２】
また、携帯端末装置１には、接続ケーブル３２の屈曲可能部３３が収納される収納凹部１１が形成されているため、屈曲可能部３３の収納スペースが一定の範囲に限定され、その分、携帯端末装置１の小型化を図ることができる。
【００９３】
加えて、携帯端末装置１にあっては、上記したように、接続ケーブル３２の屈曲可能部３３の長さを第１の筐体２が第２の筐体３に対してスライドされるときの最大ストロークの１．３倍乃至１．６倍にしている。従って、第１の筐体２の閉塞位置から開放位置の全範囲において屈曲可能部３３に大きな負荷がかかることなく、屈曲可能部３３の良好な収納状態を確保することができる。
【００９４】
尚、上記には、第１の筐体２の内部において接続ケーブル３２の屈曲可能部３３が屈曲及び伸長される例を示したが、屈曲可能部３３が屈曲及び伸長される部分は第１の筐体２の内部に限られることはなく、第２の筐体３の内部において屈曲可能部３３が屈曲及び伸長されるように構成することも可能である。
【００９５】
この場合には、屈曲可能部３３が収納される収納凹部１１が第２の筐体３の内部に形成される。
【００９６】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９７】
【図１】図２乃至図１８と共に本発明携帯端末装置の実施の形態を示すものであり、本図は、携帯端末装置の斜視図である。
【図２】携帯端末装置の分解斜視図である。
【図３】第１の筐体が閉塞位置にある状態における携帯端末装置の断面図である。
【図４】第１の筐体が開放位置にある状態における携帯端末装置の断面図である。
【図５】第１の筐体が閉塞位置にある状態において一部を断面にして示す携帯端末装置の正面図である。
【図６】第１の筐体が開放位置にある状態において一部を断面にして示す携帯端末装置の正面図である。
【図７】第１の筐体が閉塞位置にある状態においてスライドベースとスライダーの拡大正面図である。
【図８】第１の筐体が開放位置にある状態におけるスライドベースとスライダーの拡大側面図である。
【図９】保持部材等を示す拡大正面図である。
【図１０】保持部材等を示す拡大断面図である。
【図１１】図１２乃至図１４と共に携帯端末装置の動作を示すものであり、本図は第１の筐体が閉塞位置にある状態を示す正面図である。
【図１２】第１の筐体が開放位置にスライドされた状態を示す正面図である。
【図１３】第１の筐体が開放位置と回転位置の間で回転されている途中の状態を示す正面図である。
【図１４】第１の筐体が回転位置に回転された状態を示す正面図である。
【図１５】第１の筐体がスライドされたときに接続ケーブルが屈曲されている状態を一部を断面にして示す正面図である。
【図１６】第１の筐体が回転されたときの接続ケーブルの状態を一部を断面にして示す正面図である。
【図１７】第１の保持部が上下方向において異なる位置に設けられた例を示す拡大正面図である。
【図１８】第１の保持部と第２の保持部が左右方向において異なる位置に設けられた例を示す拡大正面図である。
【符号の説明】
【００９８】
１…携帯端末装置、２…第１の筐体、３…第２の筐体、６…表示部、１１…収納凹部、１５…第１の回路基板、１６…第１のコネクター、２４…操作部、３０…保持部材、３１…保持孔、３２…接続ケーブル、３２ｃ…中間部、３２ｄ…中間部
【図１】
2011199766.tif 000003
【図２】
2011199766.tif 000004
【図３】
2011199766.tif 000005
【図４】
2011199766.tif 000006
【図５】
2011199766.tif 000007
【図６】
2011199766.tif 000008
【図７】
2011199766.tif 000009
【図８】
2011199766.tif 000010
【図９】
2011199766.tif 000011
【図１０】
2011199766.tif 000012
【図１１】
2011199766.tif 000013
【図１２】
2011199766.tif 000014
【図１３】
2011199766.tif 000015
【図１４】
2011199766.tif 000016
【図１５】
2011199766.tif 000017
【図１６】
2011199766.tif 000018
【図１７】
2011199766.tif 000019
【図１８】
2011199766.tif 000020